(57)【要約】【課題】設定された印字情報を、ラベルを無駄に発行することなく、オペレータが視覚的に容易に確認することができるラベル発行装置を提供する。【解決手段】ラベル発行装置は、ラベルに印字される印字情報、及び、印字情報の印字される態様を示す情報に基づいて、印字される態様で印字情報が描かれたラベルの画像を、印字情報を定めるための画面と共に表示部に表示させる制御部を備える。制御部は、印字情報が更新された際、ラベルの画像を更新してもよい。【選択図】図１
2014184986.tif 000002
【特許請求の範囲】
【請求項１】
ラベルに印字される印字情報、及び、前記印字情報の印字される態様を示す情報に基づいて、前記印字される態様で前記印字情報が描かれた前記ラベルの画像を、前記印字情報を定めるための画面と共に表示部に表示させる制御部
を備えることを特徴とするラベル発行装置。
【請求項２】
前記制御部は、前記印字情報が更新された際、前記ラベルの画像を更新することを特徴とする請求項１に記載のラベル発行装置。
【請求項３】
前記制御部は、前記印字情報を定めるための画面に、商品の重量を示す情報を表示させることを特徴とする請求項１又は請求項２に記載のラベル発行装置。
【請求項４】
前記表示部に表示された前記ラベルの画像に対してオペレータが行った操作を受け付ける操作部
を有し、
前記制御部は、前記操作部が受け付けた前記操作に応じて、所定の処理を実行することを特徴とする請求項１から請求項３のいずれか一項に記載のラベル発行装置。
【請求項５】
前記制御部は、前記所定の処理として、前記ラベルのプロパティ情報、前記ラベルの貼付条件を示す情報、又は、前記ラベルが貼付される商品の包装条件を示す情報を、前記表示部に表示させることを特徴とする請求項４に記載のラベル発行装置。
【請求項６】
前記制御部は、前記操作部が受け付けた前記操作に応じて、前記ラベルのプロパティ情報、前記ラベルの貼付条件を示す情報、又は、前記ラベルが貼付される商品の包装条件を示す情報を更新することを特徴とする請求項５に記載のラベル発行装置。
【請求項７】
前記制御部は、前記ラベルの画像を更新せずに前記ラベルを発行させる動作モードと、商品の重量及び価格を示す前記ラベルの画像を更新してから前記ラベルを発行させる動作モードと、を有することを特徴とする請求項１から請求項６のいずれか一項に記載のラベル発行装置。
【発明の詳細な説明】
【技術分野】
【０００１】
本発明は、ラベルを発行するラベル発行装置に関する。
【背景技術】
【０００２】
オペレータによるキー入力に基づいて、商品の値段（例えば、単価、販売価格）などを予め定められた印字フォーマットでラベルに印字し、当該ラベルを発行するラベルプリンタ（ラベル発行装置）が、特許文献１に開示されている。
【先行技術文献】
【特許文献】
【０００３】
【特許文献１】特開平１０−３２４３２０号公報
【発明の概要】
【発明が解決しようとする課題】
【０００４】
しかしながら、特許文献１に開示されたラベル発行装置は、ラベルに印字される値段などの印字情報を定めるための画面（以下、「値付け画面」という。）を介して設定された印字情報が、実際にどのようなラベルとして発行されるのかを、オペレータが視覚的に確認することが容易でない。このため、オペレータは、誤った印字情報が印字されたラベルを、ラベル発行装置に発行させてしまうおそれがある。
【０００５】
これを避けるには、オペレータは、設定した印字情報が試しに印字されたラベルを１枚だけ発行させて、そのラベルを視覚的に確認することが考えられるが、これでは、ラベルを無駄に発行させてしまうという問題がある。
【０００６】
本発明は、前記の点に鑑みてなされたものであり、設定された印字情報を、ラベルを無駄に発行することなく、オペレータが視覚的に容易に確認することができるラベル発行装置を提供することを目的とする。
【課題を解決するための手段】
【０００７】
本発明の一態様は、ラベルに印字される印字情報、及び、前記印字情報の印字される態様を示す情報に基づいて、前記印字される態様で前記印字情報が描かれた前記ラベルの画像を、前記印字情報を定めるための画面と共に表示部に表示させる制御部を備えることを特徴とするラベル発行装置である。
この構成により、制御部は、前記印字される態様で前記印字情報が描かれた前記ラベルの画像を、前記印字情報を定めるための画面と共に表示部に表示させる。これにより、ラベル発行装置は、設定された印字情報を、ラベルを無駄に発行することなく、オペレータが視覚的に容易に確認することができる。
【０００８】
また、ラベル発行装置は、ラベルに印字される印字情報を定める際に、印字される態様で印字情報が描かれたラベルの画像をプレビュー表示させるための特別な操作が不要である。つまり、ラベル発行装置は、値付け画面と共に、ラベルの画像（ラベルイメージ）もプレビュー表示させる。オペレータは、印字情報の内容が正しいか否かと、印字情報の内容に過不足があるか否かとを、画面を切り替えるなどの特別な操作をすることなく、目視で容易に確認することができる。オペレータは、定められている印字情報に基づいて発行されるラベルの画像を、プレビュー表示により確認しながら、印字情報を変更することができる。また、オペレータは、印字ミスを防ぐことができる。また、オペレータは、作業効率を上げることができる。
【０００９】
また、本発明の一態様は、前記制御部が、前記印字情報が更新された際、前記ラベルの画像を更新することを特徴とするラベル発行装置である。
この構成により、ラベルの画像は、印字情報が更新された際、再描画されて更新される。これにより、オペレータは、更新された印字情報に基づくラベルの画像を見ることができ、印字ミスを防ぐことができる。
【００１０】
また、本発明の一態様は、前記制御部が、前記印字情報を定めるための画面に、商品の重量を示す情報を表示させることを特徴とするラベル発行装置である。
これにより、オペレータは、これらの変動する数値と、商品の重量が一定値として表示されているラベルのプレビュー表示と、を同時に見ることができるので、得られた当該商品の重量と、印字情報とを容易に確認することができる。
【００１１】
また、本発明の一態様は、前記表示部に表示された前記ラベルの画像に対してオペレータが行った操作を受け付ける操作部を有し、前記制御部が、前記操作部が受け付けた前記操作に応じて、所定の処理を実行することを特徴とするラベル発行装置である。
これにより、オペレータは、直感的な操作により、印字ミスを防ぐことができる。
【００１２】
また、本発明の一態様は、前記制御部が、前記所定の処理として、前記ラベルのプロパティ情報、前記ラベルの貼付条件を示す情報、又は、前記ラベルが貼付される商品の包装条件を示す情報を、前記表示部に表示させることを特徴とするラベル発行装置である。
これにより、オペレータは、ラベルのプロパティ情報、ラベルの貼付条件を示す情報、又は、ラベルが貼付される商品の包装条件を示す情報を、容易に確認することができる。
【００１３】
また、本発明の一態様は、前記制御部が、前記操作部が受け付けた前記操作に応じて、前記ラベルのプロパティ情報、前記ラベルの貼付条件を示す情報、又は、前記ラベルが貼付される商品の包装条件を示す情報を更新することを特徴とするラベル発行装置である。
これにより、オペレータは、ラベルのプロパティ情報、ラベルの貼付条件を示す情報、又は、ラベルが貼付される商品の包装条件を示す情報を、容易に更新することができる。
【００１４】
また、本発明の一態様は、前記制御部が、前記ラベルの画像を更新せずに前記ラベルを発行させる動作モードと、商品の重量及び価格を示す前記ラベルの画像を更新してから前記ラベルを発行させる動作モードと、を有することを特徴とするラベル発行装置である。
これにより、オペレータは、積み増した重量と価格まで明示されたラベルイメージを見てからラベルを発行できるため、目視でより正確なラベルを発行することができる。
【発明の効果】
【００１５】
本発明によれば、制御部は、印字される態様で印字情報が描かれたラベルの画像を、印字情報を定めるための画面と共に表示部に表示させる。これにより、ラベル発行装置は、設定された印字情報を、ラベルを無駄に発行することなく、オペレータが視覚的に容易に確認することができる。
【図面の簡単な説明】
【００１６】
【図１】本発明の第１実施形態における、ラベル発行装置の構成例を示すブロック図である。
【図２】本発明の第１実施形態における、商品ファイルの例を示す表である。
【図３】本発明の第１実施形態における、画像情報対応ファイルの例を示す表である。
【図４】本発明の第１実施形態における、フォーマットファイルの例を示す表である。
【図５】本発明の第１実施形態における、値付操作キーの配置を設定する画面の表示例を示す図である。
【図６】本発明の第１実施形態における、値付け画面の例を示す図である。
【図７】本発明の第１実施形態における、ラベル発行装置の動作手順例を示すフローチャートである。
【図８】本発明の第２実施形態における、コンソール画像の例を示す図である。
【図９】本発明の第２実施形態における、ラベル情報画像の例を示す図である。
【発明を実施するための形態】
【００１７】
[第１実施形態]
本発明の第１実施形態について図面を参照して詳細に説明する。図１には、ラベル発行装置の構成例が、ブロック図により示されている。ラベル発行装置１は、制御装置１００と、はかり２と、印字機構部３と、操作部５とを備える。
【００１８】
はかり２は、ロードセル２ａを有する。ロードセル２ａは、商品の重量を計測し、商品の重量を示す信号を制御装置１００に出力する。
印字機構部３は、制御装置１００による制御に基づいて、印字情報を所定フォーマットでラベル（媒体）に印字し、印字されたラベルを発行する。ラベルの長さは、印字情報の量（例えば、印字される添加物名の数）に応じて可変でもよい。また、印字情報の量に応じて分割された印字情報は、複数枚のラベルに分けて印字されてもよい。
【００１９】
操作部５は、キー操作部７と、タッチパネル９ａとを有する。キー操作部７は、オペレータによる操作入力を受け付け、キー操作部７を介した操作入力に応じた信号を、制御装置１００に出力する。タッチパネル９ａは、オペレータによる操作入力（例えば、印字情報を入力するための操作入力）を受け付け、タッチパネル９ａを介した操作入力に応じた信号を、制御装置１００に出力する。
【００２０】
操作部５は、液晶表示器９ｂ（表示部）を有する。液晶表示器９ｂは、タッチパネル９ａと一体に備えられ、制御装置１００による制御に基づいて、画像を表示する。液晶表示器９ｂの解像度は、例えば、６４０×４８０［ドット］である。なお、表示部は、液晶による表示器に限らず、例えば、有機ＥＬ（Ｅｌｅｃｔｒｏ Ｌｕｍｉｎｅｓｃｅｎｃｅ）による表示器でもよい。
【００２１】
制御装置１００は、ラベル発行装置１の各部を制御する。制御装置１００は、ＣＰＵ２０（Ｃｅｎｔｒａｌ Ｐｒｏｃｅｓｓｉｎｇ Ｕｎｉｔ）と、ロードセル制御部２１と、印字制御部２２と、操作制御部２４と、表示制御部２５と、ＲＡＭ３０（Ｒａｎｄｏｍ Ａｃｃｅｓｓ Ｍｅｍｏｒｙ）と、ＲＯＭ４０（Ｒｅａｄ Ｏｎｌｙ Ｍｅｍｏｒｙ）とを有する。
【００２２】
ＲＯＭ４０は、制御プログラムを予め記憶する。ＲＯＭ４０は、制御装置１００の電源が投入され、電力が供給された際、制御プログラムをＲＡＭ３０に展開する。
【００２３】
ロードセル制御部２１には、商品の重量を示す信号が、はかり２のロードセル２ａから入力される。ロードセル制御部２１は、商品の重量を示す信号を、ＣＰＵ２０に転送する。
印字制御部２２は、ＣＰＵ２０による制御に基づいて画像処理（例えば、ビットマップ処理）を実行し、印字機構部３を制御する。例えば、印字制御部２２は、予め定められたフォーマットファイル（図４を用いて後述する）に基づいて印字情報をラベルに印字するよう、印字機構部３を制御する。なお、印字制御部２２には、印字結果を示す信号（例えば、印字の完了を示す信号）が、印字機構部３から入力されてもよい。
【００２４】
表示制御部２５は、ＣＰＵ２０による制御に基づいて画像処理を実行する。また、表示制御部２５は、画像処理結果としての各種の画像（図５及び図６を用いて後述する）を表示するよう、液晶表示器９ｂを制御する。
【００２５】
操作制御部２４には、キー操作部７を介した操作入力に応じた信号が、操作部５のキー操作部７から入力される。例えば、操作制御部２４は、印字情報を示す信号がキー操作部７から入力された場合、その印字情報を示す信号をＣＰＵ２０に転送する。操作制御部２４には、タッチパネル９ａを介した操作入力に応じた信号が、操作部５のタッチパネル９ａから入力される。例えば、操作制御部２４は、印字情報を示す信号がタッチパネル９ａから入力された場合、その印字情報を示す信号をＣＰＵ２０に転送する。
【００２６】
ＲＡＭ３０は、各種の情報を一時記憶する。例えば、ＲＡＭ３０は、ＲＯＭ４０から展開された制御プログラムを一時記憶する。また、例えば、ＲＡＭ３０は、商品ファイルと、フォーマットファイルと、画像情報対応ファイルとを、一時記憶する。
【００２７】
図２には、商品ファイルの例が、表により示されている。商品ファイルには、ラベルに印字される印字情報が含まれている。商品ファイルの項目には、一例として、商品番号と、商品名と、単価と、産地と、フォーマット番号と、広告文と、画像情報番号と、コメントとがある。これらの項目は、互いに対応付けられている。なお、商品ファイルの項目には、商品の個体識別番号、商品の添加物名、及び、商品の消費期限が含まれていてもよい。
【００２８】
商品ファイルにおいて、商品番号は、商品の識別番号を示す。商品名は、商品の名称を示す。単価は、商品の単価を示す。産地は、商品の産地を示す。フォーマット番号は、印字情報が印字される際に使用される印字用フォーマットの識別番号を示す。広告文は、ラベルに印字される広告文である。この広告文は、商品の値段等が印字されるラベル（値段ラベル）とは別のラベル（広告ラベル）（ＰＯＰ（Ｐｏｉｎｔ Ｏｆ Ｐｒｅｓｅｎｃｅ）ラベル）に、印字されてもよい。画像情報番号は、商品の外観を表す画像情報の識別番号である。商品ファイルにおけるコメントは、所定の文字列であり、例えば、印字されたラベルを商品に貼る位置などを指示するための文字列（本文）である。
【００２９】
図２では、商品番号「０１２３４５」と、商品名「牛ロースしゃぶしゃぶ用」と、単価（１００［ｇ］あたり）「４８０」と、産地「北海道産」と、フォーマット番号「１」と、広告文「お買得」と、画像情報番号「１」と、コメント「値段ラベルは右下に貼ってください。広告ラベルは左上に貼ってください。」とが対応付けられている。
【００３０】
図３には、画像情報対応ファイルの例が、表により示されている。画像情報対応ファイルの項目には、一例として、画像情報番号と、画像情報とがある。画像情報は、商品の外観を表す画像情報の実体である。これらの項目は、互いに対応付けられている。図３では、画像情報番号「１」には、牛ロースしゃぶしゃぶ用の外観を表す画像情報「ＡＡＡ」が対応付けられている。また、画像情報番号「２」には、所定の画像情報「ＢＢＢ」が対応付けられている。
【００３１】
図４には、フォーマットファイルの例が、表により示されている。フォーマットファイルは、印字情報の印字される態様（印字用フォーマット）を示す情報を含むファイルである。フォーマットファイルの項目には、一例として、フォーマット番号と、印字項目と、印字位置（Ｘ座標）と、印字位置（Ｙ座標）と、印字向き（縦／横）と、フォント（書体）とがある。これらの項目は、互いに対応付けられている。
【００３２】
フォーマットファイルにおいて、フォーマット番号は、商品ファイル（図２を参照）におけるフォーマット番号を示す。印字項目は、ラベルに印字される印字情報を含む商品ファイル（図２を参照）の項目を示す。印字位置（Ｘ座標）は、ラベルに印字される印字情報の位置のＸ座標を示す。印字位置（Ｙ座標）は、ラベルに印字される印字情報の位置のＹ座標を示す。印字向きは、ラベルに印字される印字情報の向き（縦又は横）を示す。フォントは、ラベルに印字される印字情報に使用される書体（例えば、ゴシック体、色反転ゴシック体）を示す。
【００３３】
図４では、フォーマット番号「１」と、印字項目「品名」、「加工日」、「消費期限（賞味日）」、「値段」、「広告文」と、印字位置（Ｘ座標）と、印字位置（Ｙ座標）と、印字向き（縦／横）と、フォント（書体）とが対応付けられている。また、フォーマット番号「２」と、印字項目「品名」、「値段」、「添加物」と、印字位置（Ｘ座標）と、印字位置（Ｙ座標）と、印字向き（縦／横）と、フォント（書体）とが対応付けられている。
【００３４】
図１に戻り、制御装置１００の構成例の説明を続ける。ＣＰＵ２０は、バスを介して制御装置１００の各部と接続されている。ＣＰＵ２０は、ＲＡＭ３０に展開された制御プログラムに基づいて、制御装置１００の各部を制御する。また、ＣＰＵ２０は、各種データをＲＡＭ３０に記憶させる。
【００３５】
ＣＰＵ２０は、表示制御部２５に画像処理を実行させる。ＣＰＵ２０は、印字される態様（印字用フォーマット）で印字情報が描かれたラベルの画像を、印字情報を定めるための画面（値付け画面）と共に、液晶表示器９ｂ（表示部）にプレビュー表示させる。値付け画面には、ラベルに印字される値段などの印字情報を定める又は表示させるための操作キー（以下、「値付操作キー」という。）が配置される。
【００３６】
図５には、値付操作キーの配置を設定する画面の表示例が示されている。この画面は、値付け画面における値付操作キー（ファンクションキー）の配置を定めるための設定画面である。図５では、オペレータにより設定キー２００が押下されているため、値付操作キーの配置を定める動作モードで、ＣＰＵ２０が動作しているものとする。この動作モードでは、オペレータは、所定の第１操作（例えば、選択操作など）により、値付操作キーに任意の機能（例えば、プレビュー表示）を割り当てる。また、オペレータは、所定の第２操作（例えば、ドラッグ操作など）により、任意の値付操作キーを値付け画面上で移動させ、値付操作キーの配置を定める。
【００３７】
図５では、品番キー、広告文キー、加工日／賞味日キー、産地キー、コメントキー、ラベルプレビューキー２１０、商品プレビューキー２２０、及び、コメント本文キー２３０は、値付操作キーとして、値付け画面に配置されている。例えば、広告文キーを介して操作入力された広告文（文字列）に基づいて、ＣＰＵ２０は、商品ファイルに含まれる広告文を更新する。
【００３８】
図６には、値付け画面の例が示されている。値付け画面には、オペレータにより商品ファイルから選択された印字情報が表示される。図６では、商品ファイルにおいて商品コード「０１２３４５」に対応付けられた印字情報が、印字される印字情報の一例として選択されている。
【００３９】
値付け画面において、ラベルプレビューキー２１０には、フォーマットファイルに基づいて印字される態様で印字情報が描かれたラベルの画像が、プレビュー表示される。図６では、商品ファイルにおいて商品コード「０１２３４５」に対応付けられた商品名「牛ロースしゃぶしゃぶ用」などの印字情報が、フォーマット番号「１」に対応する印字される態様に基づいて印字されたラベルが、プレビュー表示されている。ここで、印字情報の量に応じて分割された印字情報が、複数枚のラベルに分けて印字される場合、ラベルプレビューキー２１０には、オペレータに選択された複数枚目のラベルの画像が、プレビュー表示されてもよい。この選択された複数枚目のラベルの画像には、例えば、広告文（例えば、「お買得」、「１０％引き」）を表す画像が、プレビュー表示されてもよい。また、フォーマット番号「２」に対応する印字される態様に基づいて印字情報が印字される場合、オペレータに選択された複数枚目のラベルの画像には、例えば、添加物の名称を表す画像が、プレビュー表示されてもよい。
【００４０】
なお、ラベルプレビューキー２１０におけるラベルの画像のプレビュー表示は、所定の操作入力に応じて、有効化又は無効化されてもよい。また、値付け画面には、所定の操作入力に応じてラベルの画像をプレビュー表示するための固有の表示領域が、設けられてもよい。例えば、ＣＰＵ２０は、１枚目のラベルの画像のプレビュー表示の所定位置（例えば、ラベルプレビューキー２１０、当該キーの欄外）がタッチされた場合、２枚目のラベルの画像のプレビュー表示に切り替えさせてもよい。また、例えば、ＣＰＵ２０は、スクロールバーを介した操作入力に応じて、第１のラベルの画像のプレビュー表示の下側に、２枚目のラベルの画像のプレビュー表示が続けて表示されるようにしてもよい。
【００４１】
商品プレビューキー２２０には、商品の外観を表す画像が表示される。ここで、商品の外観を表す画像は、ラベルが貼られた状態での商品の外観を表す画像でもよい。ＣＰＵ２０は、オペレータにより選択された印字情報の画像情報番号を、商品ファイルから取得する。また、ＣＰＵ２０は、取得した画像情報に対応付けられた画像情報を、画像情報対応ファイルから取得する。図６では、商品ファイルにおいて商品コード「０１２３４５」に対応付けられた画像情報番号「１」が、画像情報対応ファイルにおいて画像情報「ＡＡＡ」に対応付けられているので、「牛ロースしゃぶしゃぶ用」の外観を表す画像が、商品プレビューキー２２０に表示されている。これにより、オペレータは、商品ファイルから選択された印字情報が正しいか否かを、商品の外観を表す画像と、その商品に貼られたラベルの画像とに基づいて、目視で確認することができる。つまり、オペレータは、商品に貼り付けるラベルの正しい向き、商品の正しい中身及び盛り付けを、目視で確認することができる。
【００４２】
なお、商品プレビューキー２２０における商品の外観の画像のプレビュー表示は、所定の操作入力に応じて、有効化又は無効化されてもよい。また、値付け画面には、所定の操作入力に応じて商品の外観の画像をプレビュー表示するための固有の表示領域が、設けられてもよい。
【００４３】
コメント本文キー２３０には、商品ファイルに含まれるコメント（本文）が表示される。図６では、商品ファイルにおいて商品コード「０１２３４５」に対応付けられたコメント「値段ラベルは右下に貼ってください。広告ラベルは左上に貼ってください。」が、コメント本文キー２３０に表示されている。
【００４４】
なお、コメント本文キー２３０におけるコメント（本文）の表示は、コメントキーを介した操作入力に応じて、有効化又は無効化されてもよい。また、値付け画面には、所定の操作入力に応じてコメント（本文）を表示するための固有の表示領域が、設けられてもよい。
【００４５】
値付け画面が表示されている場合、タッチパネル９ａ又はキー操作部７を介してオペレータが操作入力することにより、ＣＰＵ２０には、印字情報を示す信号が、操作制御部２４から入力される。ＣＰＵ２０は、商品ファイルを更新するか否かを、印字情報を示す信号に基づいて判定する。例えば、受信した当該信号が示す印字情報が、商品ファイルに含まれる印字情報と異なる場合、ＣＰＵ２０は、商品ファイルを更新すると判定する。ＣＰＵ２０は、商品ファイルを更新すると判定した場合、印字情報を示す信号に基づいて、商品ファイルを更新する。
【００４６】
例えば、ＣＰＵ２０は、印字情報を示す信号に基づいて、産地「北海道産」を「沖縄産」に更新する場合、産地「北海道産」の代わりに産地「沖縄産」を表す文字画像を含むラベルの画像を、ラベルプレビューキー２１０にプレビュー表示させる。商品コード、重量あたりの単価、又は、重量に応じて変わらない値段（定貫時の値段）を更新する場合も同様である。
【００４７】
また、例えば、ＣＰＵ２０は、印字情報（例えば、添加物名）が更新されたことにより、印字情報の量が更新された場合、その印字情報の量に応じて、ラベルの画像の長さを更新してもよい。また、例えば、印字情報が数行に亘りラベルに印字される場合などに、ラベルの画像をラベルプレビューキー２１０に一度にはプレビュー表示しきれない場合、ＣＰＵ２０は、ラベルプレビューキー２１０にスクロールバーを表示させ、そのスクロールバーを介した操作入力に応じて、ラベルの画像をスクロールさせてもよい。また、例えば、ＣＰＵ２０は、ラベルプレビューキー２１０に対するスワイプ動作に応じたピンチイン又はピンチアウト操作に基づいて、ラベルの画像を拡大又は縮小させてもよい。また、例えば、ＣＰＵ２０は、虫眼鏡を表すアイコン画像をラベルプレビューキー２１０に表示させ、このアイコン画像を介した操作入力に基づいて、ラベルの画像を拡大又は縮小させてもよい。
【００４８】
ＣＰＵ２０は、はかり２（図１を参照）に商品が載せられることで得られた当該商品の重量（正味量）が更新された場合、ラベルの画像における商品の重量を表す画像を更新しなくてもよい。商品の重量と単価とにより定まる値段についても同様である。はかり２に商品が載せられることで得られた当該商品の重量は、目まぐるしく更新される可能性があるため、ラベルの画像における商品の重量を表す画像を同様に更新するのは、画像処理の負荷が過剰となり、現実的でないためである。画像処理の負荷を過剰にさせないために、重量の計測が安定した段階で商品の重量を表示させるようにしたとしても、重量の計測が安定するまで、オペレータが次の操作を待たなければならないので、ラベル発行装置１は、操作性が悪くなってしまう。
【００４９】
ＣＰＵ２０は、計量して単価が決まる場合、又は、重量に応じて値段が決まる場合、所定の動作モード（例えば、自動モード、手動モード）に応じて動作を切り替えてもよい。例えば、自動モードでは、ＣＰＵ２０は、オペレータがはかり２に商品を載せ、計量が安定した場合に、ラベルの画像を更新せずに、印字機構部３からラベルを発行させる。
【００５０】
一方、手動モードでは、ＣＰＵ２０は、オペレータがはかり２に商品を載せ、計量が安定した場合でもオペレータが所定の操作（例えば、「発行」キーを押す）までは、ラベルを発行させない。ＣＰＵ２０は、ラベルの画像を更新し、商品の重量及び単価に基づいて算出される価格を示す情報を、ラベルの画像を表示させる。また、ＣＰＵ２０は、ラベルの画像の下に表示された更新日時を更新する。
【００５１】
手動モードは、例えば、肉屋の台はかりのように、商品を徐々に積み増していくような場合に使用されるモードである。つまり、手動モードでは、積み増して所望の重さになった場合に、オペレータはラベルを発行させる。よって、手動モードは、負荷によって発行処理が遅くなることによるデメリットをあまり受けない動作モードである。オペレータは、積み増した商品の重量と価格とまで明示されたラベルの画像を目視してから、ラベルを発行させることができる。これにより、オペレータは、より正確なラベルを発行させることができる。
【００５２】
図６では、商品の重量（正味量）は、はかり２に商品が載せられることで得られた当該商品の重量が更新されたとしても、一定値０と表示されている。この場合でも、得られた当該商品の重量は、値付け画面における重量表示欄では、刻々と変動する値が表示されている。同様に、得られた当該商品の重量と単価とによる定まる値段も、値付け画面における値段表示欄では、刻々と変動する値が表示されている。オペレータは、これらの変動する数値と、商品の重量が一定値０と表示されているラベルのプレビュー表示と、を同時に見ることができるので、得られた当該商品の重量と、印字情報とを容易に確認することができる。
【００５３】
また、ラベルの画像に表示されている値が一定値であることを明示するため、ＣＰＵ２０は、表示制御部２５を制御することにより、ラベルの画像における他の画像とは異なる態様（例えば、異なる色、異なるフォント、点滅表示）で、一定値を表す画像を、プレビュー表示させてもよい。
【００５４】
また、更新された印字情報を明示するため、ＣＰＵ２０は、表示制御部２５を制御することにより、ラベルの画像における他の画像とは異なる態様（例えば、異なる色、異なるフォント、点滅表示）で、更新された印字情報を表す画像を、プレビュー表示させてもよい。例えば、商品ファイルに含まれる印字情報「産地」が更新され、さらに「単価」が更新された場合、ＣＰＵ２０は、印字情報「産地」及び「単価」を、ラベルの画像における他の画像とは異なる態様で、プレビュー表示させてもよい。
【００５５】
また、直近に更新された印字情報を明示するため、ＣＰＵ２０は、表示制御部２５を制御することにより、ラベルの画像における他の画像とは異なる態様（例えば、異なる色、異なるフォント、点滅表示）で、直近に更新された印字情報を表す画像を、プレビュー表示させてもよい。例えば、商品ファイルに含まれる印字情報「産地」が更新され、さらに「単価」が更新された場合、ＣＰＵ２０は、印字情報「産地」の更新についてはオペレータにより確認されたものとみなして、直近に更新された印字情報「単価」のみ、ラベルの画像における他の画像とは異なる態様で、プレビュー表示させてもよい。
【００５６】
これらのように、ラベルの画像における他の画像とは異なる態様で、印字情報を表す画像をプレビュー表示させた場合、ＣＰＵ２０は、他の画像とは異なる態様でプレビュー表示させてから、予め定められた時間（例えば、１０秒）が経過した場合、印字情報を表す画像の態様を、他の画像と同じ態様に戻してもよい。また、ＣＰＵ２０は、所定の操作入力を受け付けた場合、印字情報を表す画像の態様を、他の画像と同じ態様に戻してもよい。また、ＣＰＵ２０は、ラベルが印字機構部３から発行された場合、印字情報を表す画像の態様を、他の画像と同じ態様に戻してもよい。また、ＣＰＵ２０は、商品ファイルにおいて他の商品コードに対応付けられた印字情報が、印字される印字情報として選択された場合、印字情報を表す画像の態様を、他の画像と同じ態様に戻してもよい。
【００５７】
次に、ラベル発行装置の動作手順例を説明する。
図７は、ラベル発行装置の動作手順例を示すフローチャートである。
（ステップＳ１）ＣＰＵ２０は、値付け画面（図６を参照）を液晶表示器９ｂに表示させる。
（ステップＳ２）ＣＰＵ２０は、印字情報を含む商品ファイル（図２を参照）を、ＲＡＭ３０から取得する。
【００５８】
（ステップＳ３）ＣＰＵ２０は、操作制御部２４から入力された印字情報を示す信号に基づいて、商品ファイルを更新したか否かを判定する。商品ファイルを更新した場合（ステップＳ３：Ｙｅｓ）、ＣＰＵ２０は、ステップＳ４に処理を進める。一方、商品ファイルを更新していない場合（ステップＳ３：Ｎｏ）、ＣＰＵ２０は、ステップＳ６に処理を進める。
【００５９】
（ステップＳ４）ＣＰＵ２０は、印字情報の印字される態様を示すフォーマットファイルを、ＲＡＭ３０から取得する。
（ステップＳ５）ＣＰＵ２０は、商品ファイル及びフォーマットファイルに基づいて、印字される態様で印字情報が描かれたラベルの画像を、印字情報を定めるための値付け画面と共に、液晶表示器９ｂのラベルプレビューキー２１０に表示させる。
【００６０】
（ステップＳ６）ＣＰＵ２０は、タッチパネル９ａを介した操作入力により終了指示を受け付けたか否かを判定する。終了指示を受け付けた場合（ステップＳ６：Ｙｅｓ）、ＣＰＵ２０は、ＣＰＵ２０は、処理を終了させる。一方、終了指示を受け付けていない場合（ステップＳ６：Ｎｏ）、ＣＰＵ２０は、ステップＳ２に処理を戻す。
【００６１】
以上のように、ラベル発行装置１は、ラベルに印字される印字情報（商品ファイル）、及び、印字情報の印字される態様を示す情報（フォーマットファイル）に基づいて、印字される態様で印字情報が描かれた前記ラベルの画像を、印字情報を定めるための画面（値付け画面）と共に表示部（ラベルプレビューキー２１０）に表示させるＣＰＵ２０を備える。
【００６２】
この構成により、制御部は、印字される態様で印字情報が描かれたラベルの画像を、印字情報を定めるための画面と共に表示部に表示させる。これにより、ラベル発行装置は、設定された印字情報を、ラベルを無駄に発行することなく、オペレータが視覚的に容易に確認することができる。また、ラベル発行装置は、ラベルに印字される印字情報を定める際に、印字される態様で印字情報が描かれたラベルの画像を表示するプレビュー画面を表示させるための特別な操作が不要である。
【００６３】
また、ＣＰＵ２０は、印字情報（商品ファイル）が更新された際、ラベルの画像を更新してもよい。
この構成により、ラベルの画像は、印字情報が更新された際、再描画されて更新される。これにより、オペレータは、印字情報の現在の内容と同じ内容のラベルの画像を見ることができ、印字ミスを防ぐことができる。
【００６４】
また、ＣＰＵ２０は、ラベルの画像を更新せずにラベルを発行させる動作モードと、商品の重量及び価格を示すラベルの画像を更新してからラベルを発行させる動作モードと、を有してもよい。
【００６５】
[第２実施形態]
第２実施形態では、ラベル発行装置１は、ラベルプレビューキー２１０に対してオペレータが行った操作（タッチ、クリック又はタップ等）に応じて、所定の処理を実行する。第２実施形態では、第１実施形態との相違点についてのみ説明する。
【００６６】
オペレータが、図６に示すラベルプレビューキー２１０に対して行う操作は、例えば、長押し、タッチ（シングルタッチ又はダブルタッチ）、クリック（シングルクリック又はダブルクリック）、又は、タップ（シングルタップ又はダブルタップ）である。なお、オペレータが行うこれらの操作は一例であり、どのような操作でもよく、いずれかの操作に限定されるものではない。また、これらの操作は入れ替わってもよい。また、これらの操作は組み合わされてもよい。
【００６７】
ＣＰＵ２０は、図６に示すラベルプレビューキー２１０に対してオペレータが行った操作に応じて、各種画像（例えば、コンソール画像、ラベル情報画像）を液晶表示器９ｂに表示させる。ＣＰＵ２０は、ラベルプレビューキー２１０などに各種画像を重畳して、重畳した各種画像を液晶表示器９ｂに表示してもよい。
【００６８】
タッチパネル９ａは、図６に示すラベルプレビューキー２１０に対してオペレータがシングルクリックの操作を行った場合、そのシングルクリックの操作を検出する。この場合、ＣＰＵ２０は、操作可能なコンソール画像をラベルプレビューキー２１０に重畳して、重畳したコンソール画像を液晶表示器９ｂに表示させる。コンソール画像とは、チェックラベルをテスト発行するための操作可能な画像である。チェックラベルとは、印字内容をチェックするための確認用ラベルである。チェックラベルは、印字実績に反映されない。また、チェックラベルは、所定の台帳に貼り付けられてもよい。
【００６９】
図８は、コンソール画像の例を示す図である。コンソール画像３００には、例えば、文字列「チェックラベル（改行）印字内容の確認用ラベルを発行します」と、文字列「本ラベルは印字内容のチェック用としてご利用ください」と、文字列「注意：商品ラベルとして使用できません」と、文字列「[はい]：発行する（空白）[いいえ]：中止する」とが表示される。文字列「はい」が表示された領域と、文字列「いいえ」が表示された領域とには、操作キーがそれぞれ割り当てられる。
【００７０】
タッチパネル９ａは、図６に示すラベルプレビューキー２１０に対してオペレータが長押しの操作を行った場合、その長押しの操作を検出する。この場合、ＣＰＵ２０は、長押しの操作を検出するごとに、ラベルプレビューキー２１０（ラベル印字イメージ）の縮小表示（全体表示）と拡大表示とを切り替えて、ラベルプレビューキー２１０を液晶表示器９ｂに表示させる。
【００７１】
これにより、ＣＰＵ２０は、ラベル印字イメージが大きくて液晶表示器９ｂに表示しきれない場合でも、長押しの操作を検出した際に、ラベル印字イメージを縮小表示（全体表示）し、次に長押しの操作を検出した際には、ラベル印字イメージの拡大表示することができる。なお、ＣＰＵ２０は、長押しの操作を検出した際に、ラベル印字イメージを拡大表示し、次に長押しの操作を検出した際には、ラベル印字イメージを縮小表示してもよい。
【００７２】
タッチパネル９ａは、図６に示すラベルプレビューキー２１０に対してオペレータがダブルクリックの操作を行った場合、そのダブルクリックの操作を検出する。この場合、ＣＰＵ２０は、ラベル情報画像をラベルプレビューキー２１０に重畳して、重畳したコンソール画像を液晶表示器９ｂに表示させる。ラベル情報は、ＣＰＵ２０が実行するプログラムで使用されるラベル自体に関する詳細情報（ラベルのプロパティ情報）である、ラベル情報画像とは、ラベル情報を表示するための画像である。
【００７３】
なお、ラベル情報画像は、半透明でもよい。ラベル情報画像が半透明である場合、オペレータは、ラベル情報画像を透過した下地の画像（例えば、ラベルプレビューキー２１０）を見ることができる。
【００７４】
図９は、ラベル情報画像の例を示す図である。ラベル情報画像４００には、ラベル情報（ラベルのプロパティ情報）の一例として、フォーマット番号「０００００１」と、フォーマット名「惣菜（１７行３０６文字）」と、サイズ「４４×４６」ラベラータイプ「ライナーレスラベラー」と、ギャップ「０」と、間隔「ラベル長さ自動計算」と、バックフィード「あり」と、バックフィード長「１０」とが表示されている。フォーマット番号は、印字される態様を示す情報に付与された番号である。
【００７５】
ラベル情報画像４００には、ラベル情報以外の情報が表示されてもよい。ラベル情報以外の情報は、例えば、ラベルの貼付条件を示す情報、ラベルが貼付される商品の包装条件を示す情報である。ラベル情報画像４００には、ラベル情報以外の情報の一例として、角度「０度」と、ラベル折り返しＹ座標「０」と、ラベル用途「標準ラベル」とが表示されている。
【００７６】
ラベル折り返しＹ座標は、わざと商品からはみ出すようにラベルを貼付け可能とするための値を示す。例えば、ラベル折り返しＹ座標は、カギカッコ記号のように折り返して、商品の見栄えを良くするために設定する値である。また、例えば、ラベル折り返しＹ座標は、封の役目をさせるために設定する値である。ＣＰＵ２０は、ラベル折り返しＹ座標を示す破線を、ラベル情報画像４００に重畳して表示させてもよい。ラベル折り返しＹ座標を示す破線は、ラベル情報画像４００において、例えば、店名が記載されている領域を示す位置に重畳されてもよい。
【００７７】
ラベル用途「標準ラベル」は、商品に貼り付けるためのラベルであることを示す貼付条件情報である。なお、ラベル用途「棚札用ラベル」（不図示）は、値札代わりに商品棚に貼り付けるためのラベルであることを示す貼付条件情報である。
【００７８】
ＣＰＵ２０は、オペレータがラベル情報画像４００をタッチした場合、設定変更画面を液晶表示器９ｂに表示させてもよい。ＣＰＵ２０は、オペレータが設定変更画面を見ながらキー操作部７又はタッチパネル９ａを介して設定したラベル情報等を、受け付けてもよい。
【００７９】
オペレータは、ラベル情報画像４００に表示されている数値を設定する場合、キー操作部７又はタッチパネル９ａを介して、ＲＡＭ３０等に数値を記憶（置数）させる。さらに、オペレータは、ラベル情報画像４００をタッチすることにより、ＲＡＭ３０等に記憶された数値で、ラベル情報画像４００に表示されている数値を更新してもよい。
【００８０】
ＣＰＵ２０は、印字情報を定めるための画面に、商品の重量を示す情報を表示させてもよい。
液晶表示器９ｂに表示されたラベル情報画像４００に対してオペレータが行った操作（例えば、タッチ、クリック又はタップ等）を受け付ける操作部（例えば、タッチパネル９ａ）を有してもよい。ＣＰＵ２０は、操作部が受け付けた操作に応じて、所定の処理を実行してもよい。
【００８１】
ＣＰＵ２０は、所定の処理として、例えば、ラベルのプロパティ情報、ラベルの貼付条件を示す情報、又は、ラベルが貼付される商品の包装条件を示す情報を、表示部に表示してもよい。
ＣＰＵ２０は、例えば、タッチパネル９ａが受け付けた操作に応じて、ラベルのプロパティ情報、ラベルの貼付条件を示す情報、又は、ラベルが貼付される商品の包装条件を示す情報を更新してもよい。
【００８２】
以上、この発明の実施形態について図面を参照して詳述してきたが、具体的な構成はこの実施形態に限られるものではなく、この発明の要旨を逸脱しない範囲の設計等も含まれる。
【００８３】
なお、上記に説明したラベル発行装置を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００８４】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００８５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【００８６】
上記の実施形態で示したラベル発行装置１に関し、以下の付記を開示する。
【００８７】
（付記１）ラベル発行装置１のＣＰＵ２０は、前記印字情報（商品ファイル）が更新された場合、更新された前記印字情報と、更新されていない前記印字情報とを、前記ラベルの画像において区別可能な態様で表示させてもよい。
これにより、オペレータ（作業者）は、更新された箇所を、視覚的に容易に把握することができる。また、オペレータは、前記印字情報の内容を確実に更新することができる。
【００８８】
（付記２）ラベル発行装置１のＣＰＵ２０は、所定の条件に応じて更新する印字情報の項目と、更新しない印字情報の項目と、が描かれたラベルの画像をプレビュー表示してもよい。
【００８９】
（付記３）ラベル発行装置１のＣＰＵ２０は、前記印字情報のうち商品の重量に応じて定まる情報を、更新せずに、前記ラベルの画像において表示させてもよい。
これにより、ＣＰＵ２０は、商品の重量に応じて定まる情報を更新して表示させるための処理が不要となる。
【００９０】
（付記４）また、ラベル発行装置１のＣＰＵ２０は、印字に必要な時間に応じて定まる情報を、更新せずに、前記ラベルの画像において表示させてもよい。
これにより、ＣＰＵ２０は、印字に必要な時間に応じて定まる情報を更新して表示させるための処理が不要となる。
【００９１】
（付記５）ラベル発行装置１は、印字機構部３を備える。ラベル発行装置１のＣＰＵ２０は、前記印字情報の量に応じて前記ラベルの長さを可変させて、印字機構部３から前記ラベルを発行させる。ラベル発行装置１のＣＰＵ２０は、前記ラベルの長さに応じて、前記ラベルの画像の長さを変更させ、長さが変更された前記ラベルの画像を、印字機構部３に印字させてもよい。
この構成により、ＣＰＵ２０は、可変長ラベルの長さが変更された場合、可変長ラベルの長さに応じて、ラベルの画像の長さを変更させる。これにより、オペレータは、入力した前記印字情報の内容と同じ内容が印字された可変長ラベルの画像を、見ることができる。オペレータは、印字ミスを防ぐことができる。ここで、可変長ラベルには、台紙レスラベルが使われてもよい。
【００９２】
（付記６）ラベル発行装置１のタッチパネル９ａは、ラベルプレビューキー２１０に対してオペレータが操作を行った場合、その操作を検出する。ラベル発行装置１のＣＰＵ２０は、ラベルプレビューキー２１０に対してオペレータが行った操作に応じて、所定の処理を実行する。所定の処理とは、例えば、チェックラベルを発行させる処理、ラベル印字イメージの表示拡大率を変更する処理、又は、ラベル自体に関する詳細情報を表示させる処理である。
これにより、チェックラベルは、台帳に貼り付け可能となる。ＣＰＵ２０は、ラベル印字イメージが大きい場合でも、ラベル印字イメージを適切に表示させることができる。オペレータは、ラベル自体に関する詳細情報を、容易に確認することができる。
【符号の説明】
【００９３】
１…ラベル発行装置、２…はかり、２ａ…ロードセル、３…印字機構部、５…操作部、７…キー操作部、９ａ…タッチパネル、９ｂ…液晶表示器（表示部）、２０…ＣＰＵ（制御部）、２１…ロードセル制御部、２２…印字制御部、３０…ＲＡＭ、２４…操作制御部、２５…表示制御部、４０…ＲＯＭ、１００…制御装置、２００…設定キー、２１０…ラベルプレビューキー、２２０…商品プレビューキー、２３０…コメント本文キー、３００…コンソール画像、４００…ラベル情報画像
【図１】
2014184986.tif 000003
【図２】
2014184986.tif 000004
【図３】
2014184986.tif 000005
【図４】
2014184986.tif 000006
【図５】
2014184986.tif 000007
【図６】
2014184986.tif 000008
【図７】
2014184986.tif 000009
【図８】
2014184986.tif 000010
【図９】
2014184986.tif 000011